(57)【要約】【課題】信頼性を向上することができる入力装置、およびこれを備えた表示装置を提供する。【解決手段】入力装置Ｘ１は、振動体３０と、第１振動体用配線４１と、第２振動体用配線４２とを備え、平面視において、第１振動体用配線４１は、振動体３０の対向面３０ａにおける短辺を介して第１電極端子３１と電気的に接続されており、第２振動体用配線４２は、振動体３０の対向面３０ａにおける短辺を介して第２電極端子３２と電気的に接続されており、平面視において、第１外側領域３０２ａおよび第２外側領域３０３ａの少なくとも１つに位置する第１振動体用配線４１と第２振動体用配線４２との間隔Ｌ２は、中央領域３０１ａに位置する第１振動体用配線４１と第２振動体用配線４２との間隔Ｌ１よりも狭い。【選択図】図４
2011248634.tif 000002
【特許請求の範囲】
【請求項１】
入力領域、および該入力領域の外側に位置する非入力領域を有した入力装置であって、
第１主面、および該第１主面の反対側に位置する第２主面を有した第１基体と、
前記非入力領域に対応する前記第１基体の前記第２主面に設けられ、該第２主面に対向する対向面を有しており、かつ該対向面に第１電極端子および第２電極端子を有した振動体と、
前記非入力領域に対応する前記第１基体の前記第２主面に設けられた第１振動体用配線および第２振動体用配線と、
前記非入力領域に対応する前記第１基体の前記第２主面と前記振動体の前記対向面との間に設けられており、かつ該第２主面と該対向面とを接合させる接合部材と、を備え、
前記振動体の前記対向面は、平面視で矩形状であり、中央領域、該中央領域の外側に位置する第１外側領域、および前記中央領域の外側に位置しておりかつ前記中央領域を挟んで前記第１外側領域と隣り合う第２外側領域を有しており、
前記第１電極端子および前記第２電極端子は、前記中央領域に位置しており、
平面視において、前記第１振動体用配線は、前記振動体の前記対向面における短辺を介して前記第１電極端子と電気的に接続されており、前記第２振動体用配線は、前記振動体の前記対向面における短辺を介して前記第２電極端子と電気的に接続されており、
平面視において、前記第１外側領域および前記第２外側領域の少なくとも１つに位置する前記第１振動体用配線と前記第２振動体用配線との間隔は、前記中央領域に位置する前記第１振動体用配線と前記第２振動体用配線との間隔よりも狭いことを特徴とする入力装置。
【請求項２】
前記入力領域に対応する前記第１基体の前記第１主面に設けられた第１検出電極と、
前記非入力領域に対応する前記第１基体の前記第１主面に設けられており、かつ前記第１検出電極と電気的に接続された第１検出電極用配線と、をさらに備え、
前記接合部材は、紫外線硬化樹脂が硬化されてなり、
平面視において、前記第１検出電極用配線は、前記非入力領域に対応する前記第１基体の前記第１主面のうち、前記接合部材が設けられた領域とは重ならない領域に位置している、請求項１に記載の入力装置。
【請求項３】
前記第１基体の前記第１主面と対向する第３主面を有した第２基体と、
前記入力領域に対応する前記第２基体の前記第３主面に設けられた第２検出電極と、
前記外側領域に対応する前記第１基体の前記第１主面に設けられており、かつ前記第２検出電極と電気的に接続された第２検出電極用配線と、をさらに備え、
平面視において、前記第２検出電極用配線は、前記非入力領域に対応する前記第１基体の前記第１主面のうち、前記接合部材が設けられた領域とは重ならない領域に位置している、請求項２に記載の入力装置。
【請求項４】
前記振動体は、圧電素子である、請求項１〜３のいずれか一項に記載の入力装置。
【請求項５】
請求項１〜４のいずれか一項に記載の入力装置と、
前記入力装置と対向配置される表示パネルと、を備えた表示装置。
【請求項６】
前記表示パネルは、液晶表示パネルである、請求項５に記載の表示装置。
【発明の詳細な説明】
【技術分野】
【０００１】
本発明は、例えば、表示画面上に配置され、使用者が指あるいはペン等で押圧することにより情報を入力することができる入力装置、およびこれを備えた表示装置に関する。
【背景技術】
【０００２】
入力装置としては、例えば、押圧操作による抵抗変化で入力座標を検知するタッチパネルが知られている（例えば、特許文献１参照）。
【０００３】
このような入力装置は、第１検出電極を有した第１基体に、第２検出電極を有した第２基体を対向配置した構成である。ここで、第１基体は、第１検出電極が設けられた面である第１主面と、第１主面の反対側に位置する第２主面とを有している。また、第１基体の第１主面には、第１検出電極に電圧を印加するための第１検出電極用配線と、第２検出電極に電圧を印加するための第２検出電極用配線とを備えている。これにより、使用者が指あるいはペン等で第２基体を押圧することにより、押圧された部位において第１検出電極と第２検出電極とが接触し、これによって入力装置に情報を入力することができる。
【０００４】
ところで、近年、使用者が入力装置の第２基体を押圧した場合に、押圧した使用者に対して、押しボタンスイッチを操作した場合と同様のリアルな押圧感を伝達する、いわゆる触覚伝達技術が知られている（例えば、特許文献２参照）。
【０００５】
このような触覚伝達技術を用いた入力装置では、上記の構成に加えて、さらに次のような構成を備えている。すなわち、第１基体の第２主面には、第１電極端子および第２電極端子を有した振動体が設けられている。この振動体は、第１基体の第２主面と対向する対向面を有しており、第１電極端子および第２電極端子は、この対向面に設けられている。ここで、振動体の対向面は、平面視矩形状をなしており、中央領域、中央領域の外側に位置する第１外側領域、および中央領域の外側に位置しておりかつ中央領域を挟んで第１外側領域と隣り合う第２外側領域を有している。
【０００６】
また、第１基体の第２主面には、振動体に電圧を印加するための第１振動体用配線および第２振動体用配線が設けられている。このため、振動体の第１電極端子と第１振動体用配線とは、導電性接着材を介して互いに接合されている。また、振動体の第２電極端子と第２振動体用配線とは、導電性接着材を介して互いに接合されている。さらに、振動体の第１基体に対する接合強度を向上させるために、第１基体の第２主面と振動体の対向面との間には、第１基体の第２主面と振動体の対向面とを接合させる接合部材が設けられている。
【０００７】
上記の触覚伝達技術を用いた入力装置によれば、使用者の押圧操作による所定の荷重を検知した場合に、振動体が振動する。振動体が振動することにより、この振動体が設けられた第１基体が振動する。第１基体が振動することにより、この第１基体に対向配置された第２基体も振動する。これにより、押圧した使用者に対して、押しボタンスイッチを操作した場合と同様のリアルな押圧感を伝達することができる。
【先行技術文献】
【特許文献】
【０００８】
【特許文献１】特開２００２−４１２３１号公報
【特許文献２】特開２００４−１１８７５４号公報
【発明の概要】
【発明が解決しようとする課題】
【０００９】
ところで、振動体の振れ幅は、一般に、中央領域から外側領域に向かうに従って大きくなる。すなわち、振動体は、中央領域に対応する部位を中心として、第１外側領域および第２外側領域に対応する部位に向かうに従って大きく振動することになる。また、一般に、振動体と基体とは材質が異なるため、膨張係数の違いにより、振動体と基体とで収縮差が生じてしまう。このため、上記従来の入力装置では、振動体の振動により、第１外側領域および第２外側領域に位置する接合部材が、第１基体の第２主面および振動体の対向面から剥がれてしまう可能性があった。特に、振動体の対向面における第１外側領域および第２外側領域の角部に位置する接合部材に対して振動による大きな力が加わるため、この角部を起点として、接合部材が、第１基体の第２主面および振動体の対向面から剥がれてしまう可能性があった。接合部材がこれらの面から剥がれてしまうと、振動体が第１基体から外れてしまう可能性がある。振動体が第１基体から外れると、入力装置の信頼性は低下する。
【００１０】
本発明は、上記の問題点に鑑みてなされたものであり、その目的は、信頼性を向上することができる入力装置、およびこれを備えた表示装置に関する。
【課題を解決するための手段】
【００１１】
上記目的を達成するために本発明における入力装置は、入力領域、および該入力領域の外側に位置する非入力領域を有した入力装置であって、第１主面、および該第１主面の反対側に位置する第２主面を有した第１基体と、前記非入力領域に対応する前記第１基体の前記第２主面に設けられ、該第２主面に対向する対向面を有しており、かつ該対向面に第１電極端子および第２電極端子を有した振動体と、前記非入力領域に対応する前記第１基体の前記第２主面に設けられた第１振動体用配線および第２振動体用配線と、前記非入力領域に対応する前記第１基体の前記第２主面と前記振動体の前記対向面との間に設けられており、かつ該第２主面と該対向面とを接合させる接合部材と、を備え、前記振動体の前記対向面は、平面視で矩形状であり、中央領域、該中央領域の外側に位置する第１外側領域、および前記中央領域の外側に位置しておりかつ前記中央領域を挟んで前記第１外側領域と隣り合う第２外側領域を有しており、前記第１電極端子および前記第２電極端子は、前記中央領域に位置しており、平面視において、前記第１振動体用配線は、前記振動体の前記対向面における短辺を介して前記第１電極端子と電気的に接続されており、前記第２振動体用配線は、前記振動体の前記対向面における短辺を介して前記第２電極端子と電気的に接続されており、平面視において、前記第１外側領域および前記第２外側領域の少なくとも１つに位置する前記第１振動体用配線と前記第２振動体用配線との間隔は、前記中央領域に位置する前記第１振動体用配線と前記第２振動体用配線との間隔よりも狭い。
【発明の効果】
【００１２】
本発明の入力装置、およびこれを備えた表示装置は、信頼性を向上することができるという効果を奏する。
【図面の簡単な説明】
【００１３】
【図１】本実施形態に係る入力装置の概略構成を示す分解斜視図である。
【図２】本実施形態に係る入力装置において、第２基体側から見た場合の、第１基体の概略構成を示す平面図である。
【図３】振動体の概略構成を示す斜視図である。
【図４】振動体の概略構成を示す平面図であって、振動体と振動体用配線との関係を表した図である。
【図５】図２中に示した切断線Ｉ−Ｉに沿って切断した断面図である。
【図６】従来の入力装置における、振動体と振動体用配線との関係を表した図である。
【図７】振動体の概略構成を示す平面図であって、振動体と振動体用配線との関係を表した図である。
【図８】本実施形態に係る入力装置において、紫外線硬化樹脂に対して紫外線を照射する方法を説明するための図である。
【図９】他の態様に係る入力装置において、紫外線硬化樹脂に対して紫外線を照射する方法を説明するための図である。
【図１０】本実施形態に係る入力装置の動作例を示すフローチャートである。
【図１１】本実施形態に係る表示装置の概略構成を示す断面図である。
【発明を実施するための形態】
【００１４】
以下、本発明の実施形態について、図面を参照しながら説明する。
【００１５】
図１に示すように、本実施形態に係る入力装置Ｘ１は、抵抗膜方式のタッチパネルであって、使用者が指あるいはペン等で押圧することにより情報を入力するための入力領域ＥＩと、入力領域ＥＩの外側に位置する非入力領域ＥＯとを有している。また、入力装置Ｘ１は、第１基体１０、および第２基体２０を備えている。第１基体１０は、第１主面１０ａ、および第１主面１０ａの反対側に位置する第２主面１０ｂを有している。第２基体２０は、第１基体１０の第１主面１０ａと対向する第３主面２０ａ、および第３主面２０ａの反対側に位置する第４主面２０ｂを有している。すなわち、入力領域ＥＩに対応する第４主面２０ｂが、使用者が指あるいはペン等で直接押圧する面となる。ここで、以下では、第１基体１０を説明する前に、第２基体２０について説明する。
【００１６】
第２基体２０は、透光性および可撓性を有している。ここで、透光性とは、可視光に対する透過性を有することを意味する。また、第２基体２０は、第３主面２０ａおよび第４主面２０ｂに対して交差する方向に光を適切に透過することが可能な構成とされるとともに、電気的な絶縁性を充分に有する構成とされている。第２基体２０の構成材料としては、ガラスあるいはプラスチック等の透光性を有するものが挙げられるが、中でも高品質の観点においてガラスが好ましい。なお、本実施形態において第２基体２０の平面視形状は略矩形状とされているが、これには限られない。
【００１７】
第２検出電極２１は、入力領域ＥＩに対応する第２基体２０の第３主面２０ａ上に設けられている。第２検出電極２１は、後述する第１基体１０の第１検出電極１１との接触点における電位の検出に寄与するものであり、一方（本実施形態では下方）側から入射した光を他方（本実施形態では上方）側に透過するように構成されている。第２検出電極２１の構成材料としては、透光性を有する導電部材が挙げられる。透光性を有する導電部材としては、例えば、ＩＴＯ（Indium Tin Oxide：酸化インジウムスズ）、ＡＴＯ（Antimony
Tin Oxide：三酸化アンチモン）、酸化錫、あるいは酸化亜鉛等が挙げられる。
【００１８】
第１基体１０は、第２基体２０と対向配置されており、かつ透光性を有している。また、第１基体１０は、第１主面１０ａおよび第２主面１０ｂに対して交差する方向に光を適切に透過することが可能な構成とされるとともに、電気的な絶縁性を充分に有する構成とされている。第１基体１０の構成材料としては、ガラスあるいはプラスチック等の透光性を有するものが挙げられるが、中でも高品質の観点においてガラスが好ましい。なお、本実施形態において第１基体１０の平面視形状は略矩形状とされているが、これには限られない。
【００１９】
図１および図２に示すように、第１検出電極１１は、入力領域ＥＩに対応する第１基体１０の第１主面１０ａ上に設けられている。第１検出電極１１は、第２検出電極２１との接触点における電位の検出に寄与するものであり、一方（本実施形態では下方）側から入
射した光を他方（本実施形態では上方）側に透過するように構成されている。第１検出電極１１の構成材料としては、第２検出電極２１と同様のものが挙げられる。
【００２０】
また、第１検出電極１１上には、スペーサ１２が設けられている。スペーサ１２は、第１検出電極１１と第２検出電極２１とを押圧位置で接触させる場合に、この押圧位置以外の領域において第１検出電極１１と第２検出電極２１との不要な接触が発生するのを低減する役割を担う部材である。また、スペーサ１２は、複数のドット状のスペーサにより構成されている。スペーサ１２の構成材料としては、例えば、熱硬化樹脂あるいは紫外線硬化樹脂が挙げられ、耐環境性の観点からは熱硬化性樹脂が好ましく、製造効率の観点からは紫外線硬化樹脂が好ましい。
【００２１】
また、非入力領域ＥＯに対応する第１基体１０の第１主面１０ａ上には、第１検出電極用配線１３が設けられている。第１検出電極用配線１３は、一端部が第１検出電極１１と電気的に接続されており、他端部が第１外部導通領域Ｓ１に位置している。ここで、第１外部導通領域Ｓ１は、非入力領域ＥＯに対応する第１基体１０の第１主面１０ａの一部の領域であり、かつ図示しないＦＰＣ（Flexible Printed Circuit：フレキシブルプリント配線基板）と電気的に接続される領域である。本実施形態では、このＦＰＣ上に、タッチパネルドライバ（図示省略）が実装される。
【００２２】
また、非入力領域ＥＯに対応する第１基体１０の第１主面１０ａ上には、第２検出電極用配線１４が設けられている。第２検出電極用配線１４は、一端部がシール部材１５を介して第２検出電極２１と電気的に接続されており、他端部が第１外部導通領域Ｓ１に位置している。ここで、シール部材１５は、第１検出電極１１を取り囲むようにして第１基体１０上に配置されており、かつ導電性を有している。シール部材１５は、第２検出電極用配線１４、および第２検出電極２１の電気的導通を図りつつ、第１基体１０と第２基体２０とを接合する役割を担うものである。なお、図２では、説明の便宜上、シール部材１５の図示を省略している。
【００２３】
本実施形態においてこれら検出電極用配線１３，１４は、例えば、硬質で高い形状安定性を得るべく、金属薄膜で構成されている。この金属薄膜としては、例えば、アルミニウム膜、アルミニウム合金膜、クロム膜とアルミニウム膜との積層膜、あるいはクロム膜とアルミニウム合金膜との積層膜が挙げられる。
【００２４】
また、非入力領域ＥＯに対応する第１基体１０の第２主面１０ｂ上には、振動体３０が設けられている。本実施形態において振動体３０は、圧電素子である。振動体３０は、図３および図４に示すように、非入力領域ＥＯに対応する第１基体１０の第２主面１０ｂと対向する対向面３０ａを有している。振動体３０の対向面３０ａは、平面視で矩形状である。このため、対向面３０ａは、長さＳａとなる短辺、および長さＳｂとなる長辺を有している。また、振動体３０の対向面３０ａは、中央領域３０１ａ、中央領域３０１ａの外側に位置する第１外側領域３０２ａ、および中央領域３０１ａの外側に位置しておりかつ中央領域３０１ａを挟んで第１外側領域３０２ａと隣り合う第２外側領域３０３ａを有している。本実施形態において中央領域３０１ａは、図４に示すように、対向面３０ａの長辺における中線Ｏを基準として、短辺方向にそれぞれＳｂ／４の長さの範囲にある領域をいう。
【００２５】
振動体３０の対向面３０ａにおける中央領域３０１ａには、第１電極端子３１および第２電極端子３２が設けられている。ここで、第１電極端子３１は、正の電圧が印加される端子である。第２電極端子３２は、負の電圧が印加される端子である。また、振動体３０の対向面３０ａおよび側面３０ｂには、第１電極端子３１と電気的に接続される第１電極３１１、および第２電極端子３２と電気的に接続される第２電極３２１が設けられている
。
【００２６】
なお、図１および図２では、４つの振動体３０が、第１基体１０の第２主面１０ｂにおける各辺に沿ってそれぞれ設けられている例について図示したが、これに限定されない。すなわち、振動体３０の数、および振動体３０の配置位置等については、任意である。
【００２７】
振動体３０は、第２基体２０の第４主面２０ｂに対する押圧荷重を検出するとともに、第１基体１０および第２基体２０を振動させる役割を担う部材である。すなわち、本実施形態に係る振動体３０は、押圧荷重を検出する機能と、振動する機能との双方の機能を有している。ここで、まず、振動体３０の荷重検出機能について説明する。すなわち、使用者が、入力領域ＥＩに対応する第２基体２０の第４主面２０ｂを押圧すると、第１基体１０および第２基体２０の撓みに従って、振動体３０も撓む。つまり、第２基体２０への押圧荷重に応じて、振動体３０の撓み量が変化することになる。振動体３０は、撓み量を、当該撓み量に応じた電圧に変換する。これにより、振動体３０により第２基体２０の押圧荷重を検出することができる。
【００２８】
次に、振動体３０の振動機能について説明する。すなわち、後述する振動体用ドライバからの指示によって、後述する振動体用配線４１，４２、電極端子３１，３２、および電極３１１,３２１を介して振動体３０に電圧が印加されると、この振動体３０は振動する
。振動体３０が振動することにより、振動体３０が設けられた第１基体１０は振動する。第１基体１０が振動することにより、第１基体１０と対向して配置される第２基体２０も振動する。これにより、第２基体２０を押圧した使用者に対して、押しボタンスイッチを操作した場合と同様のリアルな押圧感が伝達される。ここで、本実施形態に係る振動体用ドライバ（図示省略）は、タッチパネルドライバが実装されたＦＰＣと同じＦＰＣに実装される。
【００２９】
また、非入力領域ＥＯに対応する第１基体１０の第２主面１０ｂ上には、第１振動体用配線４１、および第２振動体用配線４２が設けられている。振動体用配線４１，４２は、図２に示すように、第１基体１０を平面透視した場合において、第１検出電極１１を取り囲むようにして第１基体１０の第２主面１０ｂに設けられており、かつ第１検出電極１１と検出電極用配線１３，１４との間に位置している。また、振動体用配線４１，４２は、一端部が第２外部導通領域Ｓ２に位置している。ここで、第２外部導通領域Ｓ２は、非入力領域ＥＯに対応する第１基体１０の第２主面１０ｂの一部の領域であり、かつ振動体用ドライバが実装されたＦＰＣと電気的に接続される領域である。
【００３０】
本実施形態においてこれら振動体用配線４１，４２は、例えば、硬質で高い形状安定性を得るべく、金属薄膜で構成されている。この金属薄膜としては、例えば、アルミニウム膜、アルミニウム合金膜、クロム膜とアルミニウム膜との積層膜、あるいはクロム膜とアルミニウム合金膜との積層膜が挙げられる。
【００３１】
図４および図５に示すように、振動体３０の第１電極端子３１と第１振動体用配線４１とは、導電性接着材５０を介して互いに接合されている。すなわち、第１振動体用配線４１は、図４に示すように、対向面３０の短辺を介して、第１電極端子３１と電気的に接続されている。ここで、導電性接着材５０の材料としては、例えば、金、錫、銀、パラジウム、銅、ニッケル等の金属、これらを含んだ合金、あるいは金属微粒子を含んだ樹脂等が挙げられる。また、これと同様に、振動体３０の第２電極端子３２と第２振動体用配線４２とは、導電性接着材５０を介して互いに接合されている。すなわち、第２振動体用配線４２は、図４に示すように、対向面３０の短辺を介して、第２電極端子３２と電気的に接続されている。
【００３２】
このように、本実施形態では、振動体用配線４１，４２は、対向面３０の短辺を介して電極端子３１，３２と電気的に接続されている。そのため、本実施形態に係る入力装置Ｘ１は、振動体用配線４１，４２が対向面３０の長辺を介して電極端子３１，３２と電気的に接続されている場合と比べて、非入力領域ＥＯを狭くすることができる。この結果、入力装置Ｘ１は、小型化を実現することができる。
【００３３】
また、非入力領域ＥＯに対応する第１基体１０の第２主面１０ｂと振動体３０の対向面３０ａとの間には、第２主面１０ｂと対向面３０ａとを接合させる接合部材６０が設けられている。本実施形態において接合部材６０は、振動体３０の対向面３０ａのうち、導電性接着材５０が設けられた領域５０ａ以外の全ての領域６０ａに位置している。ここで、本実施形態において接合部材６０は、紫外線硬化樹脂が紫外線により硬化されてなる部材であるが、これに限らず、熱硬化樹脂が熱により硬化されてなる部材であってもよい。なお、紫外線硬化樹脂としては、例えば、アクリル系樹脂、あるいはエポキシ系樹脂等が挙げられる。
【００３４】
図４に示すように、平面視において、第１外側領域３０２ａおよび第２外側領域３０３ａに位置する第１振動体用配線４１と第２振動体用配線４２との間隔Ｌ２は、中央領域３０１ａに位置する第１振動体用配線４１と第２振動体用配線４２との間隔Ｌ１よりも狭い。このため、入力装置Ｘ１は、上記従来の入力装置と比べて、振動体３０の対向面３０ａにおける角部Ｃ（第１外側領域３０２ａおよび第２外側領域３０３ａの角部Ｃ）において接合部材６０が配置可能な面積が大きくなる。すなわち、上記従来の入力装置では、図６に示すように、第１外側領域３０２ａおよび第２外側領域３０３ａに位置する第１振動体用配線４１と第２振動体用配線４２との間隔は、中央領域３０１ａに位置する第１振動体用配線４１と第２振動体用配線４２との間隔Ｌ１と同じであったからである。そのため、入力装置Ｘ１では、角部Ｃに位置する接合部材６０に対して振動による大きな力が加わっても、この角部Ｃを起点として、接合部材６０が、第１基体１０の第２主面１０ｂおよび振動体３０の対向面３０ａから剥がれてしまう可能性を低減できる。この結果、入力装置Ｘ１は、上記従来の入力装置と比べて、信頼性を向上することができる。
【００３５】
なお、上記では、第１外側領域３０２ａ、中央領域３０１ａ、および第２外側領域３０３ａに、第１振動体用配線４１および第２振動体用配線４２が設けられている例について説明したが、これに限定されない。すなわち、第１外側領域３０２ａおよび中央領域３０１ａにのみ、第１振動体用配線４１および第２振動体用配線４２が設けられていてもよい。また、第２外側領域３０３ａおよび中央領域３０１ａにのみ、第１振動体用配線４１および第２振動体用配線４２が設けられていてもよい。図７では、第１外側領域３０２ａおよび中央領域３０１ａにのみ、第１振動体用配線４１および第２振動体用配線４２が設けられていている例について図示している。この場合も、上記と同様、第１外側領域３０２ａに位置する第１振動体用配線４１と第２振動体用配線４２との間隔Ｌ２は、中央領域３０１ａに位置する第１振動体用配線４１と第２振動体用配線４２との間隔Ｌ１よりも狭い。
【００３６】
なお、中央領域３０１ａに位置する第１振動体用配線４１と第２振動体用配線４２との間隔Ｌ１は、振動体３０の対向面３０ａにおける短辺の長さＳａに近ければ近いほど好ましい。このようにすると、中央領域３０１ａにおける中央部において接合部材６０が配置可能な面積が大きくなり、接合部材６０が、第１基体１０の第２主面１０ｂおよび振動体３０の対向面３０ａから剥がれてしまう可能性をより低減できる。
【００３７】
また、接合部材６０が紫外線硬化樹脂である場合、本実施形態のように、平面視において、第１検出電極用配線１３および第２検出電極用配線１４は、非入力領域ＥＯに対応する第１基体１０の第１主面１０ａのうち、接合部材６０が設けられた領域６０ａとは重な
らない領域に位置していることが好ましい。具体的には、第１検出電極用配線１３および第２検出電極用配線１４は、非入力領域ＥＯに対応する第１基体１０の第１主面１０ａのうち、振動体３０の対向面３０ａとは重ならない領域に位置している。すなわち、第１検出電極用配線１３および第２検出電極用配線１４は、振動体３０の対向面３０ａよりも外側の領域に位置している。
【００３８】
図８に示すように、入力装置Ｘ１を作製する場合において、非入力領域ＥＯに対応する第１基体１０の第２主面１０ｂと振動体３０の対向面３０ａとの間に充填した紫外線硬化樹脂６００を硬化させるために、この紫外線硬化樹脂６００に対して、紫外線を照射する。本実施形態において、紫外線の照射経路は、図８に矢印で示されているように、第２基体２０の第４主面２０ｂ、第３主面２０ａ、第１基体１０の第１主面１０ａ、第２主面１０ｂ、および紫外線硬化樹脂６００の順となる。ここで、入力装置Ｘ１によれば、第１基体１０を平面透視した場合において、第１検出電極用配線１３および第２検出電極用配線１４は、非入力領域ＥＯに対応する第１基体１０の第１主面１０ａのうち、紫外線硬化樹脂６００（接合部材６０）が設けられた領域６０ａとは重ならない領域に位置している。このため、図８の矢印で示された経路で紫外線を照射した場合であっても、入力装置Ｘ１では、紫外線の照射経路に、第１検出電極用配線１３および第２検出電極用配線１４は存在していない。そのため、入力装置Ｘ１は、紫外線硬化樹脂６００の全体が充分に硬化された接合部材６０を形成することができる。
【００３９】
ここで、上記とは逆に、図９に示すように、紫外線の照射経路に、第１検出電極用配線１３および第２検出電極用配線１４が位置している場合を考える。この場合、第１検出電極用配線１３および第２検出電極用配線１４によって紫外線の照射が妨げられ、紫外線硬化樹脂６００の一部が充分に硬化されないまま接合部材６０が形成されてしまう可能性がある。つまり、検出電極用配線１３，１４は、上述のように、例えば、アルミニウム膜、アルミニウム合金膜、クロム膜とアルミニウム膜との積層膜、あるいはクロム膜とアルミニウム合金膜との積層膜で形成されており、当該検出電極用配線１３，１４において、紫外線が反射されてしまうからである。紫外線硬化樹脂６００の一部が充分に硬化されないまま接合部材６０が形成されてしまうと、振動体３０の第１基体１０に対する接合強度が低下する。
【００４０】
すなわち、入力装置Ｘ１では、紫外線硬化樹脂６００の全体が充分に硬化された接合部材６０を形成することができる。このため、入力装置Ｘ１は、振動体３０の第１基体１０に対する接合強度が向上する。振動体３０の第１基体１０に対する接合強度が向上するので、入力装置Ｘ１は、信頼性がさらに向上する。
【００４１】
なお、図２では、検出電極用配線１３，１４は、振動体用配線４１，４２よりも外側に位置している例について説明したが、これに限定されない。すなわち、検出電極用配線１３，１４は、振動体用配線４１，４２よりも内側に位置してもよい。
【００４２】
次に、上記の構成に係る入力装置Ｘ１の動作について、図１０を参照しながら説明する。
【００４３】
図１０に示すように、振動体３０は、例えば、使用者が、入力領域ＥＩに対応する第２基体２０の第４主面２０ｂを押圧した場合に、第２基体２０への押圧荷重を検出する（Ｏｐ１）。そして、上記の振動体用ドライバは、使用者による第２基体２０への押圧操作が、表示画面に表示された入力オブジェクトに対する押圧操作である場合に、Ｏｐ１にて検出された押圧荷重が閾値以上であるか否かを判定する（Ｏｐ２）。
【００４４】
振動体用ドライバは、Ｏｐ１にて検出された押圧荷重が閾値以上であると判定すれば（
Ｏｐ２にてＹＥＳ）、振動体３０を振動させる（Ｏｐ３）。そして、Ｏｐ３にて振動された振動体３０により第１基体１０が振動する。第１基体１０が振動することにより、第１基体１０と対向配置される第２基体２０も振動する。これにより、第２基体２０を押圧した使用者に対して押圧感が伝達される。一方、振動体用ドライバは、Ｏｐ１にて検出された押圧荷重が閾値未満であると判定すれば（Ｏｐ２にてＮＯ）、図１０の処理を終了する。
【００４５】
次に、上記の入力装置Ｘ１を備えた表示装置Ｙ１について、図１１を参照しながら説明する。
【００４６】
図１１に示すように、本実施形態に係る表示装置Ｙ１は、入力装置Ｘ１と、入力装置Ｘ１と対向配置される液晶表示装置Ｚ１とを備えている。
【００４７】
液晶表示装置Ｚ１は、液晶表示パネル７０、バックライト７１、および筐体７２を備えている。
【００４８】
バックライト７１は、光源７１ａおよび導光板７１ｂを含んでいる。光源７１ａは、導光板７１ｂに向けて光を出射する役割を担う部材であり、例えば、ＬＥＤ（Light Emitting Diode：発光ダイオード）から構成される。なお、ＬＥＤの代わりに、冷陰極蛍光ランプ（ＣＣＦＬ）、ハロゲンランプ、キセノンランプ、あるいはＥＬ（Electro-Luminescence：エレクトロルミネッセンス）であってもよい。導光板７１ｂは、液晶表示パネル７０の下面全体にわたって、光源７１ａからの光を略均一に導くための役割を担う部材である。
【００４９】
筐体７２は、液晶表示パネル７０およびバックライト７１を収容する役割を担うものであり、上側筐体７２ａおよび下側筐体７２ｂを含んで構成される。筐体７２の構成材料としては、例えば、ポリカーボネート等の樹脂、あるいはステンレス（ＳＵＳ）やアルミニウム等の金属が挙げられる。
【００５０】
ここで、液晶表示装置Ｚ１は、例えば、ホウ素、ウレタン材、あるいはアクリル樹脂系の両面粘着テープからなる緩衝材Ｔで入力装置Ｘ１を支持している。緩衝材Ｔの数は任意であるが、本実施形態においては、液晶表示装置Ｚ１は、６つの緩衝材Ｔで入力装置Ｘ１を支持している。これにより、表示装置Ｙ１は、入力装置Ｘ１を振動させることが可能となり、使用者に対して押圧感を伝達することが可能となる。
【００５１】
表示装置Ｙ１は、例えば、携帯電話やＰＤＡ（Personal Digital Assistant）等の携帯用の端末装置、工場等の産業用途で使用されるプログラマブル表示器、電子手帳、パーソナルコンピュータ、複写機、あるいはゲーム用の端末装置等の種々の電子機器に備えられる。
【００５２】
なお、上記では、入力装置Ｘ１が抵抗膜方式のタッチパネルである例について説明したが、これに限定されない。すなわち、入力装置Ｘ１は、静電容量方式のタッチパネル、表面弾性波方式のタッチパネル、赤外線方式のタッチパネル、あるいは電磁誘導方式のタッチパネルであってもよい。
【００５３】
また、上記では、入力装置Ｘ１が設けられる表示パネルが液晶表示パネルである例について説明したが、これに限定されない。すなわち、入力装置Ｘ１が設けられる表示パネルは、ＣＲＴ、プラズマディスプレイ、有機ＥＬディスプレイ、無機ＥＬディスプレイ、ＬＥＤディスプレイ、蛍光表示管、電界放出ディスプレイ、表面電界ディスプレイ、あるいは電子ペーパ等であってもよい。
【符号の説明】
【００５４】
Ｘ１  入力装置
Ｙ１  表示装置
１０  第１基体
１０ａ  第１主面
１０ｂ  第２主面
１１  第１検出電極
１３  第１検出電極用配線
１４  第２検出電極用配線
２０  第２基体
２０ａ  第３主面
２１  第２検出電極
３０  振動体
３１  第１電極端子
３２  第２電極端子
４１  第１振動体用配線
４２  第２振動体用配線
６０  接合部材
７０  液晶表示パネル（表示パネル）
６００  紫外線硬化樹脂
ＥＩ  入力領域
ＥＯ  非入力領域
【図１】
2011248634.tif 000003
【図２】
2011248634.tif 000004
【図３】
2011248634.tif 000005
【図４】
2011248634.tif 000006
【図５】
2011248634.tif 000007
【図６】
2011248634.tif 000008
【図７】
2011248634.tif 000009
【図８】
2011248634.tif 000010
【図９】
2011248634.tif 000011
【図１０】
2011248634.tif 000012
【図１１】
2011248634.tif 000013